(57)【要約】      （修正有）【課題】防雪ネットに局部的な力を作用させることなく強い接続強度で固定するとともに、簡単な構造により部材コスト面や施工性に優れる防雪ネットの固定構造を提供すること。【解決手段】パイプに防雪ネット２の張り方向にボルト３２を貫設して柱状体３を形成するとともに、ボルト貫通孔の中間でパイプにスリットを具備せしめ、防雪ネット２の端部をスリットの反対側からパイプに巻回して該スリットに挿入し、パイプをボルト３２に螺合したナット３５により締着する。【選択図】図１
2005163429.tif 000002
【特許請求の範囲】
【請求項１】
防雪ネットの端部を柱状体に固定する防雪ネットの固定構造において、パイプに防雪ネットの張り方向にボルトを貫設して柱状体を形成するとともに、ボルト貫通孔の中間でパイプにスリットを具備せしめ、防雪ネットの端部をスリットの反対側からパイプに巻回して該スリットに挿入し、パイプをボルトに螺合したナットにより締着したことを特徴とする防雪ネットの固定構造。
【請求項２】
防雪ネットの端部を柱状体に固定する防雪ネットの固定構造において、角パイプの外側にアングル材を被装し、角パイプとアングル材に防雪ネットの張り方向にボルトを貫設して柱状体を形成するとともに、防雪ネットの端部を角パイプに巻回して角パイプとアングル材の締着部に挿入し、角パイプとアングル材をボルトに螺合したナットにより締着したことを特徴とする防雪ネットの固定構造。
【請求項３】
防雪ネットが、一軸延伸したポリプロピレン、超高分子ポリエチレン等の大きい引張強度を有する合成樹脂製の芯テープの表面にエチレン−酢酸ビニル共重合体、塩化ビニル樹脂等の熱可塑性樹脂製の被覆層を形成した被覆テープを縦糸及び横糸とし、これら縦糸と横糸の交点を高周波溶着したものであることを特徴とする請求項１又は２記載の防雪ネットの固定構造。
【発明の詳細な説明】
【技術分野】
【０００１】
本発明は、防雪ネットの固定構造に関し、特に、防雪ネットに局部的な力を作用させることなく強い接続強度で固定するとともに、簡単な構造により部材コスト面や施工性に優れる防雪ネットの固定構造に関するものである。
【背景技術】
【０００２】
多雪地域の道路や軌道などでは、その側縁に沿って風上側に防雪ネットの固定構造が設置される。
この防雪ネットの固定構造は、所定間隔をおいて列設された複数の支柱間に防雪板や防雪ネットを介設するもので、近年では、見通し性を考慮して防雪ネットが使用される防雪柵が好まれつつある。
このような防雪柵に使用される防雪ネットは、合成樹脂製のテープ状体からなる縦糸と横糸の交点を固着した網体によって構成されている。
【発明の開示】
【発明が解決しようとする課題】
【０００３】
ところで、上記従来の防雪柵においては、防雪ネットの端部を柱状体に固定するようにしているが、積雪や強風によって防雪ネットに大きな力がかかることから、防雪ネットが柱状体から抜けたり、固定部で破断したりするという問題があった。
【０００４】
本発明は、上記従来の防雪ネットの固定構造が有する問題点に鑑み、防雪ネットに局部的な力を作用させることなく強い接続強度で固定するとともに、簡単な構造により部材コスト面や施工性に優れる防雪ネットの固定構造を提供することを目的とする。
【課題を解決するための手段】
【０００５】
上記目的を達成するため、本第１発明の防雪ネットの固定構造は、防雪ネットの端部を柱状体に固定する防雪ネットの固定構造において、パイプに防雪ネットの張り方向にボルトを貫設して柱状体を形成するとともに、ボルト貫通孔の中間でパイプにスリットを具備せしめ、防雪ネットの端部をスリットの反対側からパイプに巻回して該スリットに挿入し、パイプをボルトに螺合したナットにより締着したことを特徴とする。
【０００６】
また、本第２発明の防雪ネットの固定構造は、防雪ネットの端部を柱状体に固定する防雪ネットの固定構造において、角パイプの外側にアングル材を被装し、角パイプとアングル材に防雪ネットの張り方向にボルトを貫設して柱状体を形成するとともに、防雪ネットの端部を角パイプに巻回して角パイプとアングル材の締着部に挿入し、角パイプとアングル材をボルトに螺合したナットにより締着したことを特徴とする。
【０００７】
この場合において、防雪ネットを、一軸延伸したポリプロピレン、超高分子ポリエチレン等の大きい引張強度を有する合成樹脂製の芯テープの表面にエチレン−酢酸ビニル共重合体、塩化ビニル樹脂等の熱可塑性樹脂製の被覆層を形成した被覆テープを縦糸及び横糸とし、これら縦糸と横糸の交点を高周波溶着したものとすることができる。
【発明の効果】
【０００８】
本第１発明の防雪ネットの固定構造によれば、パイプに防雪ネットの張り方向にボルトを貫設して柱状体を形成するとともに、ボルト貫通孔の中間でパイプにスリットを具備せしめ、防雪ネットの端部をスリットの反対側からパイプに巻回して該スリットに挿入し、パイプをボルトに螺合したナットにより締着することから、防雪ネットに局部的な力を作用させることなく強い接続強度で固定することができ、しかも、簡単な構造であることから、部材コストを低減するとともに施工性を大きく向上させることができる。
【０００９】
また、本第２発明の防雪ネットの固定構造によれば、角パイプの外側にアングル材を被装し、角パイプとアングル材に防雪ネットの張り方向にボルトを貫設して柱状体を形成するとともに、防雪ネットの端部を角パイプに巻回して角パイプとアングル材の締着部に挿入し、角パイプとアングル材をボルトに螺合したナットにより締着することから、防雪ネットに局部的な力を作用させることなく強い接続強度で固定することができ、しかも、簡単な構造であることから、部材コストを低減するとともに施工性を大きく向上させることができる。
【００１０】
この場合、防雪ネットを、一軸延伸したポリプロピレン、超高分子ポリエチレン等の大きい引張強度を有する合成樹脂製の芯テープの表面にエチレン−酢酸ビニル共重合体、塩化ビニル樹脂等の熱可塑性樹脂製の被覆層を形成した被覆テープを縦糸及び横糸とし、これら縦糸と横糸の交点を高周波溶着したものとすることにより、防雪ネットの引張強度を向上させることができる。
【発明を実施するための最良の形態】
【００１１】
以下、本発明の防雪ネットの固定構造の実施の形態を図面に基づいて説明する。
【００１２】
図１〜図２に、本発明の防雪ネットの固定構造の第１実施例を示す。
この防雪ネットの固定構造を使用する防雪柵は、所定間隔をおいて地上に支柱１を列設し、各支柱１間に防雪ネット２を介設するもので、防雪ネット２の端部２１を支柱１の内側に配設した柱状体３に固定するとともに、該柱状体３をばね部材４を介し支柱１に外方向に付勢して取り付けている。
【００１３】
そして、本実施例の防雪ネットの固定構造は、パイプ３１に防雪ネット２の張り方向にボルト３２を貫設して柱状体３を形成するとともに、ボルト貫通孔３３の中間でパイプ３１にスリット３４を具備せしめ、防雪ネット２の端部２１をスリット３４の反対側からパイプ３１に巻回して該スリット３４に挿入し、パイプ３１をボルト３２に螺合したナット３５により締着している。
【００１４】
パイプ３１は金属製の丸パイプからなり、直径方向にボルト３２が貫設されるとともに、該ボルト３２の片側で、前記ボルト貫通孔３３の中間にスリット３４が形成されている。
また、ボルト３２は、支柱１の外側まで延設されており、支柱１を摺動自在に貫通するとともに、両側の支柱１の外側でばね部材４を介装してナット３５で締結することにより、柱状体３を外側に付勢している。
この場合において、このばね部材４による柱状体３の付勢は、片側の柱状体３又は両側の柱状体３において実施することが可能である。
また、パイプ３１は、スリット３４を後形成するようにしたもののほか、板部材を曲げ加工してパイプ状に形成し、繋ぎ目を溶接等によって接合しないようにすることによりスリット３４が前形成されたものを使用することができる。
【００１５】
この場合、図３に示すように、防雪ネット２の柱状体３への固定と、柱状体３の支柱１への固定とを、例えば、上下で個別に行うようにすることができる。
すなわち、防雪ネット２の固定は、図３（ａ）に示すように、短めに形成したボルト３２ａ及びナット３５により独立して複数箇所、特に限定されるものではないが、例えば、２箇所で行うとともに、柱状体３の支柱１への固定は、図３（ｂ）に示すように、防雪ネット２の固定とは別に柱状体３を貫通するボルト３２ｂによって独立して複数箇所、特に限定されるものではないが、例えば、防雪ネット２の固定箇所を挟むように、２箇所で行うようにすることができる。
柱状体３を支柱１に固定するボルト３２ｂは、端部が支柱１にナット３５により固定されるとともに、柱状体３を摺動自在に貫通し、柱状体３の内側で、ばね部材４を介装してナット３５で締結することにより、柱状体３を外側に付勢している。
なお、図３に示す変形例のその他の構成は、図２と同様である。
【００１６】
一方、防雪ネット２は、例えば、図４に示すように、一軸延伸したポリプロピレン、超高分子ポリエチレン等の大きい引張強度を有する合成樹脂製の芯テープ５１の表面にエチレン−酢酸ビニル共重合体、塩化ビニル樹脂等の熱可塑性樹脂製の被覆層５２を形成した被覆テープ５を縦糸及び横糸とし、これら縦糸と横糸の交点５３を高周波溶着したものからなり、これにより、防雪ネット２の引張強度を向上させることができる。
【００１７】
かくして、本実施例の防雪ネットの固定構造は、パイプ３１に防雪ネット２の張り方向にボルト３２を貫設して柱状体３を形成するとともに、ボルト貫通孔３３の中間でパイプ３１にスリット３４を具備せしめ、防雪ネット２の端部２１をスリット３４の反対側からパイプ３１に巻回して該スリット３４に挿入し、パイプ３１をボルト３２に螺合したナット３５により締着することから、防雪ネット２に局部的な力を作用させることなく強い接続強度で固定することができ、しかも、簡単な構造であることから、部材コストを低減するとともに施工性を大きく向上させることができる。
【００１８】
次に、図５〜図６を参照して、本発明の防雪ネットの固定構造の第２実施例を説明する。
この防雪ネットの固定構造を使用する防雪柵は、所定間隔をおいて地上に支柱１を列設し、各支柱１間に防雪ネット２を介設するもので、防雪ネット２の端部２１を支柱１の内側に配設した柱状体３に固定するとともに、該柱状体３をばね部材４を介し支柱１に外方向に付勢して取り付けている。
【００１９】
そして、本実施例の防雪ネットの固定構造は、角パイプ３６の外側にアングル材３７を被装し、角パイプ３６とアングル材３７に防雪ネット２の張り方向にボルトを貫設して柱状体を形成するとともに、防雪ネット２の端部を角パイプ３６に巻回して角パイプ３６とアングル材３７の締着部３８に挿入し、角パイプ３６とアングル材３７をボルトに螺合したナット３５により締着している。
【００２０】
アングル材３７は金属製のものからなり、断面Ｌ字の１片を防雪柵の前方に配設した状態で、金属製の角パイプ３６に被装されており、前記防雪ネット２は、このアングル材３７の１片と角パイプ３６の間を通るようにして角パイプ３６を巻回している。
また、ボルト３２は、支柱１の外側まで延設されており、支柱１を摺動自在に貫通するとともに、両側の支柱１の外側でばね部材４を介装してナット３５で締結することにより、柱状体３を外側に付勢している。
なお、このばね部材４による柱状体３の付勢は、片側の柱状体３又は両側の柱状体３において実施することが可能である。
【００２１】
この場合も、図７に示すように、防雪ネット２の柱状体３への固定と、柱状体３の支柱１への固定とを、例えば、上下で個別に行うようにすることができる。
すなわち、防雪ネット２の固定は、図７（ａ）に示すように、短めに形成したボルト３２ａ及びナット３５により独立して複数箇所、特に限定されるものではないが、例えば、２箇所で行うとともに、柱状体３の支柱１への固定は、図７（ｂ）に示すように、防雪ネット２の固定とは別に柱状体３を貫通するボルト３２ｂによって独立して複数箇所、特に限定されるものではないが、例えば、防雪ネット２の固定箇所を挟むように、２箇所で行うようにすることができる。
柱状体３を支柱１に固定するボルト３２ｂは、端部が支柱１にナット３５により固定されるとともに、柱状体３を摺動自在に貫通し、柱状体３の内側で、ばね部材４を介装してナット３５で締結することにより、柱状体３を外側に付勢している。
なお、図７に示す変形例のその他の構成は、図６と同様である。
【００２２】
また、防雪ネット２は、例えば、図４に示すように、一軸延伸したポリプロピレン、超高分子ポリエチレン等の大きい引張強度を有する合成樹脂製の芯テープ５１の表面にエチレン−酢酸ビニル共重合体、塩化ビニル樹脂等の熱可塑性樹脂製の被覆層５２を形成した被覆テープ５を縦糸及び横糸とし、これら縦糸と横糸の交点５３を高周波溶着したものからなり、これにより、防雪ネット２の引張強度を向上させることができる。
【００２３】
かくして、本第２実施例の防雪ネットの固定構造は、角パイプ３６の外側にアングル材３７を被装し、角パイプ３６とアングル材３７に防雪ネット２の張り方向にボルトを貫設して柱状体３を形成するとともに、防雪ネット２の端部２１を角パイプ３６に巻回して角パイプ３６とアングル材３７の締着部３８に挿入し、角パイプ３６とアングル材３７をボルト３２に螺合したナット３５により締着することから、防雪ネット２に局部的な力を作用させることなく強い接続強度で固定することができ、しかも、簡単な構造であることから、部材コストを低減するとともに施工性を大きく向上させることができる。
【００２４】
以上、本発明の実施例を説明したが、本発明の防雪ネットの固定構造の構成は、この実施例の記載に限定されるものではなく、その趣旨を逸脱しない範囲において適宜に変更することが可能である。
【産業上の利用可能性】
【００２５】
以上、本発明の防雪ネットの固定構造は、防雪ネットに局部的な力を作用させることなく強い接続強度で固定するとともに、簡単な構造により部材コスト面や施工性に優れていることから、多雪地域の道路や軌道の防雪の用途に好適に用いることができるほか、例えば、スキー場の防雪の用途にも用いることができる。
【図面の簡単な説明】
【００２６】
【図１】本発明の防雪ネットの固定構造の第１実施例を示す斜視図である。
【図２】同実施例の防雪ネットの固定構造を示し、（ａ）は平面図、（ｂ）は要部の拡大平面図である。
【図３】同実施例の防雪ネットの固定構造の変形例を示し、（ａ）は断面平面図、（ｂ）は平面図である。
【図４】防雪ネットの例を示し、（ａ）は部分正面図、（ｂ）は被覆テープの斜視図である。
【図５】本発明の防雪ネットの固定構造の第２実施例を示す斜視図である。
【図６】同実施例の防雪ネットの固定構造を示し、（ａ）は平面図、（ｂ）は要部の拡大平面図である。
【図７】同実施例の防雪ネットの固定構造の変形例を示し、（ａ）は断面平面図、（ｂ）は平面図である。
【符号の説明】
【００２７】
１    支柱
２    防雪ネット
２１  端部
３    柱状体
３１  パイプ
３２  ボルト
３３  ボルト貫通孔
３４  スリット
３５  ナット
３６  角パイプ
３７  アングル材
３８  締着部
４    ばね部材
５    被覆テープ
５１  芯テープ
５２  被覆層
５３  交点
【図１】
2005163429.tif 000003
【図２】
2005163429.tif 000004
【図３】
2005163429.tif 000005
【図４】
2005163429.tif 000006
【図５】
2005163429.tif 000007
【図６】
2005163429.tif 000008
【図７】
2005163429.tif 000009